(57)【要約】      （修正有）【課題】パッケージ内に手提げ袋を収納し該パッケージの素材や厚みを考慮して開封容易な構造を備えた携帯型袋体を提供する。【解決手段】引裂誘導部Ｒを介して連結された分割体からなる平面視略矩形状のパッケージＰ内に折り畳まれた状態で収納された手提げ袋１０が開口部に環状の開口閉止紐が２本設けられ、第一閉止紐の一端が一の分割体と該分割体の端部内側で接合され、第二閉止紐の一端が他の分割体と該分割体の端部内側で接合され、前記引裂誘導部が一の分割体と他の分割体とを連結する連結部と、一の分割体と他の分割体とを分断する非連結部とが交互に配置され、該非連結部は、幅が均一でなく、長刃と短刃とからなるミシン刃（丸）又は長刃と短刃とからなるミシン刃（帯）のいずれか一のミシン刃により形成され、前記引裂誘導部のうち裂き始めとなる領域のうち最端部に該非連結部が設けられてなる構成とした。【選択図】図１
2020023366.tif 000002
【特許請求の範囲】
【請求項１】
折り畳まれた状態の手提げ袋が、引裂誘導部を介して連結された分割体からなる平面視略矩形状のパッケージ内に収納されてなる携帯型袋体であって、
前記手提げ袋は、
開口部に環状の開口閉止紐が２本設けられ、
第一閉止紐の一端が、一の分割体と該分割体の端部内側で接合され、
第二閉止紐の一端が、他の分割体と該分割体の端部内側で接合された状態で収納され、
前記引裂誘導部が、
一の分割体と他の分割体とを連結する連結部と、
一の分割体と他の分割体とを分断する非連結部とが交互に配置され、
該非連結部は、
幅が均一でなく、
長刃と短刃とからなるミシン刃（丸）又は長刃と短刃とからなるミシン刃（帯）のいずれか一のミシン刃により形成され、
前記引裂誘導部のうち裂き始めとなる領域のうち最端部に該非連結部が設けられた
携帯型袋体。
【請求項２】
前記引裂誘導部のうち裂き始めとなる領域における該非連結部が、
該領域以外の領域における該非連結部よりも幅広に設けてなる
ことを特徴とする請求項１に記載の携帯型袋体。
【請求項３】
前記引裂誘導部のうち裂き始めとなる領域における該非連結部が、
該領域以外の領域における該非連結部よりも幅狭に設けてなる
ことを特徴とする請求項１に記載の携帯型袋体。
【発明の詳細な説明】
【技術分野】
【０００１】
本発明は、パッケージ内に手提げ袋を収納した携帯型袋体に関する。
【背景技術】
【０００２】
従来、プラスチックフィルムを用いた簡易な構造の包装袋を外包パッケージ内に折り畳んで収納されてなる袋体に関する技術が知られている。
【０００３】
例えば、本件発明者による折り畳みバッグであって、コンパクトで容易に携行することができ、使用時には袋体の取り出し操作を行うと同時に袋体を展開状態にできて直ちに袋体を使用できる技術が開示されている（特許文献１参照）。
【０００４】
また、破断部を介して連結された一対の分割体からなるパッケージ体内に、手提げ袋が折り畳まれた状態で格納された手提げ袋パッケージに関する技術が開示されている（特許文献２参照）。
【０００５】
しかし、前記いずれの特許文献に開示されたバッグ等についても、袋体（パッケージ）の中央に設けられた破断部に関し、容易に開封操作を行い得る工夫は見られない。そこで、袋体（パッケージ）の素材の硬軟や厚みを考慮した破断部に関する技術改良が望まれてきた。
【先行技術文献】
【特許文献】
【０００６】
【特許文献１】特開２００１−１０９１号公報
【特許文献２】実用新案登録第３１５６０２９号公報
【発明の概要】
【発明が解決しようとする課題】
【０００７】
そこで、本発明は、パッケージの素材や厚みを考慮した利用者の便に資する開封容易な構造を備えた携帯型袋体を提供することにある。
【課題を解決するための手段】
【０００８】
本発明に係る携帯型袋体は、折り畳まれた状態の手提げ袋が、引裂誘導部を介して連結された分割体からなる平面視略矩形状のパッケージ内に収納され、前記手提げ袋は、開口部に環状の開口閉止紐が２本設けられ、第一閉止紐の一端が、一の分割体と該分割体の端部内側で接合され、第二閉止紐の一端が、他の分割体と該分割体の端部内側で接合された状態で収納され、前記引裂誘導部が、一の分割体と他の分割体とを連結する連結部と、一の分割体と他の分割体とを分断する非連結部とが交互に配置され、該非連結部の幅が均一でないことを特徴とする。
【０００９】
また、本発明に係る携帯型袋体は、請求項１に記載の構成において、前記引裂誘導部のうち裂き始めとなる領域における該非連結部が、該領域以外の領域における該非連結部よりも幅広に設けてなることを特徴とする。
【００１０】
更に、本発明に係る携帯型袋体は、請求項１に記載の構成において、前記引裂誘導部のうち裂き始めとなる領域における該非連結部が、該領域以外の領域における該非連結部よりも幅狭に設けてなることを特徴とする。
【発明の効果】
【００１１】
請求項１に記載の携帯型袋体によれば、非連結部の幅を均一にしないことで、パッケージ素材や厚みに応じて開封操作を任意に制御することができる結果、利便性に優れた携帯型袋体を提供することが可能となる。
【００１２】
また、請求項２に記載の携帯型袋体によれば、パッケージの素材が厚手の場合や、該素材が固い場合には裂き始めの領域のミシン目を粗く、即ち、非連結部の幅を広く設けることで裂き始めの動作に力を要しない構成としつつも、中央部のミシン目は先のミシン目より細かく、即ち、非連結部の幅を狭く設けることで、意図せずに裂け始めてしまった場合でも、左右の分割体を完全に分断してしまうことを防ぐことができる。
【００１３】
また、請求項３に記載の易開封性パッケージによれば、パッケージ素材が薄手の場合や、該素材が柔らかい場合には、中央部のミシン目を粗く、即ち、非連結部の幅を広く設けることで引裂き動作を容易としつつも、裂き始めのミシン目を先のミシン目より細かく、即ち、非連結部の幅を狭く設けることで、不用意な開封を防ぐことができる。
【図面の簡単な説明】
【００１４】
【図１】本発明に係る携帯型袋体を示す平面図である。
【図２】パッケージの製造工程を示す模式図である。
【図３】ミシン刃（丸）の構成を示す概略図である。
【図４】手提げ袋の製作工程を示す模式図である。
【図５】手提げ袋の展開状態を示す平面図である。
【図６】手提げ袋を図５の展開状態から幅方向に折り畳んだ第一折り畳み状態を示す平面図である。
【図７】手提げ袋を第一折り畳み状態から第二折り畳み状態への移行途中を示す斜視図である。
【図８】手提げ袋の第二折り畳み状態を示す平面図である。
【図９】第二折り畳み状態の手提げ袋をパッケージ内へ収納する状態を示す斜視図である。
【図１０】第二折り畳み状態の手提げ袋をパッケージ内へ収納した状態を示す平面図である。
【図１１】携帯型袋体を長さ方向の両側に引っ張り引裂誘導部で破断して中に収納されている手提げ袋を拡げた状態を示す斜視図である。
【図１２】手提げ袋が傘袋であることを示す平面図である。
【図１３】ミシン刃（帯）の構成を示す概略図である。
【図１４】異なる実施形態における携帯型袋体を示す平面図である。
【発明を実施するための形態】
【００１５】
以下、図面に基づき本発明について説明する。図１は、本発明に係る携帯型袋体１ａを示す平面図であり、引裂誘導部Ｒを介して連結された分割体からなる平面視略矩形状のパッケージＰの中に、折り畳まれた状態の手提げ袋１０が収納されていることを示す。
【００１６】
引裂誘導部Ｒのうち、開封時の裂き始めとなる領域Ｅ１、Ｅ３における非連結部Ｒ１の幅は、中央領域Ｅ２における非連結部Ｒ２の幅に比べて広く形成されてなる。
【００１７】
具体的には、非連結部Ｒ１と非連結部Ｒ２の幅の比率は「２．５：１」〜「３．５：１」とし、この非率は、引裂誘導部の中央部にＲ２が、これを挟んでＲ１が形成されるようパッケージの幅を考慮して形成されるものである。尚、パッケージの素材や幅、連結部の幅を適宜変更することを妨げない。
【００１８】
手提げ袋１０及びパッケージＰの原材料には、ポリエチレン（ＰＥ）、ポリプロピレン（ＰＰ）、ポリエチレンテレフタレート（ＰＥＴ）などの所謂プラスチックフィルムを単体又は複合素材として使用する。本実施例においては、ポリエチレン単体を使用する。フィルムの厚みは５０〜１００μｍが好適であるが、本発明の課題を解決できればプラスチックフィルムプラスの種類や該フィルムの厚みは限定されない。
【００１９】
パッケージＰの製造方法について図２、図３に基づいて説明する。
ポリエチレンシートＳを二枚重ね（図２（ａ））、引裂誘導仮想線Ｖ１に沿ってミシン刃（丸）Ａによりミシン目を形成する（同図（ｂ）〜（ｃ））。該ミシン刃（丸）Ａは長刃Ａ１と短刃Ａ２（図３）とからなり、該ミシン刃Ａによるミシン目は、幅広の非連結部Ｒ１と、該Ｒ１より幅狭の非連結部Ｒ２とが連結部Ｒ３を介して交互に形成されるものである。そして、本実施形態においては、予めパッケージの幅に合わせて幅広の非連結部Ｒ１が各パッケージの端に形成されるように調整されている。
引裂誘導部、即ち、所望のミシン目が形成された後、パッケージ溶断分離仮想線Ｖ２に沿って溶断分離加工を施し、パッケージＰ１〜Ｐ４を得る。
【００２０】
次に、手提げ袋10の製作工程について、図に基づいて説明する。
四方が閉じられた二重のポリエチレンシート１００（図４（ａ））の上辺左右の肩部から切欠片１０１、１０１を切り取り、手提げ袋の開口部を形成すべく、切欠部１３からカッター等を差し込み、閉じられた上辺１０２を切開して開放する（図４（ｂ））
【００２１】
次に、該開口部へ２本の環状紐体、即ち、第一紐体１１０、第二紐体１１１を設けるべく、折り返し片１０３、１０４により該環状紐体を巻き込み、紐体挿通筒状部（図１０中、符合１４、１５）を形成するために該折り返し片の先端部をシート本体へ固定すべく熱融着加工により融着部１０５（図４）、１０６（図４、図１０）を形成する。
【００２２】
図５は、以上の工程を経て完成した手提げ袋１０を展開状態で示した平面図であり、紐体挿通用筒状部１４（１５）から、第一紐体１１０の取っ手部１１０ａ、第二紐体１１１の取っ手部１１１ａのそれぞれ一部が、当該手提げ袋１０の幅Ｗを所定長Ｐ分だけ超えて左右に突出した構成となっていることを示す。
図中の一点鎖線１１は、後述の折り畳み工程における第一折り畳み状態とするときの目安としての仮想線を示し、Ｘは手提げ袋１０の一側縁、Ｙは手提げ袋１０の他側縁を示す。
【００２３】
以下に、該手提げ袋の折り畳み工程、そしてパッケージング工程について説明する。
【００２４】
〔折り畳み工程〕
まず、折り畳み工程について、図面に基づき詳述する。
図６は、手提げ袋１０を図５の展開状態から幅方向に折り畳んだ第一折り畳み状態を示す平面図であり、図中、１２ａ〜１２ｇは第二折り畳み状態へと折り畳む際の目安としての仮想線を示す。
【００２５】
展開状態の手提げ袋１０（図５）における第一紐体の取っ手部１１０ａと第二紐体の取っ手１１１ａとを結ぶ方向を第一方向Ｍとし、これと直行する方向を第二方向Ｎとしたとき、第一方向Ｍに互いに離間して第二方向Ｎに沿って伸びる仮想線１１、１１に沿って第一折り畳み状態とした後（図６）、第二方向Ｎに互いに離間して第一方向Ｍに沿って伸びる仮想線１２ａ〜１２ｇに沿って折り畳み（図７）、第二折り畳み状態を完成させる（図８）。
【００２６】
こうして、第一折り畳み状態を経て第二折り畳み状態となった手提げ袋１０は、幅方向Ｍの一方の端縁１７ａから第二紐体１１１の取っ手部１１１ａが外方へ向けて突出した状態にあり、他方の端縁１７ｂから第一紐体１１０の取っ手部１１０ａが外方へ向けて突出した状態となっている（図８）。
【００２７】
〔パッケージング工程〕
次に、手提げ袋１０をパッケージＰの中へ収納し、携帯型袋体１を完成させる工程について、図面に基づき詳述する。
図９は、第二折り畳み状態の手提げ袋１０を、中央に引裂誘導部Ｒを設けたパッケージＰの中へ収納する直前の状態を示す斜視図である。図１０は、第二折り畳み状態の手提げ袋１０をパッケージＰの中へ収納した状態を示す平面図である。そして、パッケージＰの長手方向の両端部２、３を融着して携帯型袋体１を得た状態を示す平面図は図１に示す通りである。
【００２８】
第一折り畳み状態を経て第二折り畳み状態となった手提げ袋１０を、パッケージＰの中へ嵌入配置せしめ（図９、図１０）、第二紐体１１１の取っ手１１１ａをパッケージＰの長手方向の一端部と接合して第一接合部２を形成するとともに、第一紐体１１０の取っ手１１０ａをパッケージＰの長手方向の他端部と接合して第二接合部３を形成することにより携帯型袋体１が得られる（図１）。
【００２９】
〔折り畳みバッグの使用例〕
手提げ袋１０を使用する際には、図１に示す携帯型袋体１の両端の接合部２、３、好ましくは取っ手部１１１ａ、１１０ａを挟み込んで接合した箇所２０、３０を指で抓んで互いに離間する方向に引っ張ると、パッケージＰが引裂誘導部Ｒで破断し、さらに離間する方向に引っ張ると、パッケージＰの中から折り畳み状態の手提げ袋１０が開放されるとともに、一気に展開して図１１に示すような展開状態になる。
【００３０】
本実施の形態によれば、パッケージの素材が厚手の場合や、該素材が固い場合には裂き始めの領域のミシン目を粗く、即ち、非連結部の幅を広く設けることで裂き始めの動作に力を要しない構成としつつも、中央部のミシン目は先のミシン目より細かく、即ち、非連結部の幅を狭く設けることで、意図せずに裂け始めてしまった場合でも、左右の分割体を完全に分断してしまうことを防ぐことができる使い勝手のよい携帯型袋体を提供することが可能となる。
【００３１】
図１２は、上述の実施形態における手提げ袋１０を傘袋２０として成形した例を示し、この応用例は、袋部の形状が傘を収納できるように上下方向に長く、且つ先端へ向かって先細り形状とした点及びかかる変更に伴い通常適用される工程・作業変更を除き、効果も含めて上述の実施形態において開示した通りである。
【００３２】
〔変形例１〕
図１３は、上述の実施形態におけるミシン刃（丸）Ａの代わりにミシン刃（帯）Ｂを用いてパッケージＰを製造する変形例で使用する該ミシン刃（帯Ｂ）の構成を示す概略図である。
【００３３】
本変形例におけるパッケージＰの製造方法について説明すると、先の実施形態の如くポリエチレンシートを二枚重ね、引裂誘導仮想線に沿ってミシン刃（帯）Ｂによりミシン目を形成する。該ミシン刃（帯）Ｂは長刃Ｂ１と短刃Ｂ２（図１３）とからなり、該ミシン刃Ｂによるミシン目は、幅広の非連結部と、該連結部より幅狭の非連結部とが連結部を介して交互に形成されるものである。その後、引裂誘導部、即ち、所望のミシン目が形成された後、パッケージ溶断分離仮想線に沿って、溶断分離加工を施して複数のパッケージを得る工程については先の実施の形態に述べた通りである。
【００３４】
詳述しないが、本変形例においては、ミシン刃Ｂを前記シートに対して往復駆動する駆動装置を備え、溶断分離加工を行うべく必要な構成はすべて備えているものとする。
【００３５】
なお、前記シートへミシン目の如く貫通部を設ける場合には、該貫通部の材料を除去する「打ち抜き」と、該貫通部の材料を除去しない「切込み」とがある。切込みは製造過程においてカスが出にくいため好ましく、本変形例もこれに倣うが、本発明の課題を解決することができれば、特に限られない。
〔変形例２〕
図１４は、先の実施形態の変形例に係る携帯型袋体１ｂの平面図を示す図である。
【００３６】
本変形例においては、引裂誘導部Ｒのうち、開封時の裂き始めとなる領域Ｅ１、Ｅ３における非連結部Ｒ２の幅は、中央領域Ｅ２における非連結部Ｒ１の幅に比べて狭く形成されてなる。
【００３７】
具体的には、非連結部Ｒ１と非連結部Ｒ２の幅の比率は「２．５：１」〜「３．５：１」とし、この非率は、引裂誘導部の中央部にＲ１が、これを挟んでＲ２が形成されるようパッケージの幅を考慮して調整されるものである。尚、パッケージにパッケージの素材や幅、連結部の幅を考慮して適宜変更することを妨げない。
【００３８】
本変形例によれば、パッケージ素材が薄手の場合や、該素材が柔らかい場合には、中央部のミシン目を粗く、即ち、非連結部の幅を広く設けることで引裂き動作を容易としつつも、裂き始めのミシン目を先のミシン目より細かく、即ち、非連結部の幅を狭く設けることで、不用意な開封を防ぐことができる使い勝手のよい携帯型袋体を提供することが可能となる。
【産業上の利用可能性】
【００３９】
本発明の携帯型袋体は、例えば、ごみ袋や傘袋に好適に用いられるが、特にこれらに限られるものではない。
【符号の説明】
【００４０】
１  携帯型袋体
２  第一接合部
３  第二接合部
１０  手提げ袋
１１  仮想線（第一折り畳み状態）
１２  仮想線（第二折り畳み状態）
１３  切欠部
１４  紐体挿通部
１５  紐体挿通部
１６  開口部
１７  折り畳み状態の手提げ袋の端縁
２０  第一紐体の一部を挟み込んで接合した箇所
３０  第二紐体の一部を挟み込んで接合した箇所
１００  手提げ袋未完成品
１０１  切欠片
１０２  開口部となる上辺
１０３  折り返し片
１０４  折り返し片
１０５  融着部
１１０  第一紐体
１１０ａ第一紐体の取っ手部
１１１  第二紐体
１１１ａ第二紐体の取っ手部
Ａ  ミシン刃（丸）
Ａ１  刃（長）
Ａ２  刃（短）
Ｂ  ミシン刃（帯）
Ｂ１  刃（長）
Ｂ２  刃（短）
Ｐ    パッケージ
Ｒ    引裂誘導部
Ｒ１  被連結部（大）
Ｒ２  被連結部（小）
Ｒ３  連結部
Ｓ    ポリエチレンシート
Ｖ１  引裂誘導仮想線
Ｖ２  パッケージ溶断分離仮想線
【図１】
2020023366.tif 000003
【図２】
2020023366.tif 000004
【図３】
2020023366.tif 000005
【図４】
2020023366.tif 000006
【図５】
2020023366.tif 000007
【図６】
2020023366.tif 000008
【図７】
2020023366.tif 000009
【図８】
2020023366.tif 000010
【図９】
2020023366.tif 000011
【図１０】
2020023366.tif 000012
【図１１】
2020023366.tif 000013
【図１２】
2020023366.tif 000014
【図１３】
2020023366.tif 000015
【図１４】
2020023366.tif 000016
【手続補正書】
【提出日】令和1年10月24日(2019.10.24)
【手続補正１】
【補正対象書類名】明細書
【補正対象項目名】０００６
【補正方法】変更
【補正の内容】
【０００６】
【特許文献１】特開２０１１−１０９１号公報
【特許文献２】実用新案登録第３１５６０２９号公報
【手続補正２】
【補正対象書類名】明細書
【補正対象項目名】０００８
【補正方法】変更
【補正の内容】
【０００８】  本発明に係る携帯型袋体は、折り畳まれた状態の手提げ袋が、引裂誘導部を介して連結された分割体からなる平面視略矩形状のパッケージ内に収納され、前記手提げ袋は、開口部に環状の開口閉止紐が２本設けられ、第一閉止紐の一端が、一の分割体と該分割体の端部内側で接合され、第二閉止紐の一端が、他の分割体と該分割体の端部内側で接合された状態で収納され、前記引裂誘導部が、一の分割体と他の分割体とを連結する連結部と、一の分割体と他の分割体とを分断する非連結部とが交互に配置され、該非連結部は、幅が均一でなく、長刃と短刃とからなるミシン刃（丸）又は長刃と短刃とからなるミシン刃（帯）のいずれか一のミシン刃により形成され、前記引裂誘導部のうち裂き始めとなる領域のうち最端部に該非連結部が設けられたことを特徴とする。
【手続補正３】
【補正対象書類名】明細書
【補正対象項目名】００１３
【補正方法】変更
【補正の内容】
【００１３】  また、請求項３に記載の携帯型袋体によれば、パッケージ素材が薄手の場合や、該素材が柔らかい場合には、中央部のミシン目を粗く、即ち、非連結部の幅を広く設けることで引裂き動作を容易としつつも、裂き始めのミシン目を先のミシン目より細かく、即ち、非連結部の幅を狭く設けることで、不用意な開封を防ぐことができる。
【手続補正４】
【補正対象書類名】明細書
【補正対象項目名】００２１
【補正方法】変更
【補正の内容】
【００２１】  次に、該開口部へ２本の環状紐体、即ち、第一紐体１１０、第二紐体１１１を設けるべく、折り返し片１０３、１０４により該環状紐体を巻き込み、紐体挿通筒状部（図１１中、符合１４、１５）を形成するために該折り返し片の先端部をシート本体へ固定すべく熱融着加工により融着部１０５（図４）、１０６（図１１）を形成する。
【手続補正５】
【補正対象書類名】明細書
【補正対象項目名】００３２
【補正方法】変更
【補正の内容】
【００３２】  〔変形例１〕  図１３は、上述の実施形態におけるミシン刃（丸）Ａの代わりにミシン刃（帯）Ｂを用いてパッケージＰを製造する変形例で使用する該ミシン刃（帯）Ｂの構成を示す概略図である。
【手続補正６】
【補正対象書類名】明細書
【補正対象項目名】００４０
【補正方法】変更
【補正の内容】
【００４０】  １  携帯型袋体  ２  第一接合部  ３  第二接合部  １０  手提げ袋  １１  仮想線（第一折り畳み状態）  １２  仮想線（第二折り畳み状態）  １３  切欠部  １４  紐体挿通部  １５  紐体挿通部  １６  開口部  １７  折り畳み状態の手提げ袋の端縁  ２０  第一紐体の一部を挟み込んで接合した箇所  ３０  第二紐体の一部を挟み込んで接合した箇所  １００  手提げ袋未完成品  １０１  切欠片  １０２  開口部となる上辺  １０３  折り返し片  １０４  折り返し片  １０５  融着部  １１０  第一紐体  １１０ａ第一紐体の取っ手部  １１１  第二紐体  １１１ａ第二紐体の取っ手部  Ａ  ミシン刃（丸）  Ａ１  刃（長）  Ａ２  刃（短）  Ｂ  ミシン刃（帯）  Ｂ１  刃（長）  Ｂ２  刃（短）  Ｐ    パッケージ  Ｒ    引裂誘導部  Ｒ１  非連結部（大）  Ｒ２  非連結部（小）  Ｒ３  連結部  Ｓ    ポリエチレンシート  Ｖ１  引裂誘導仮想線  Ｖ２  パッケージ溶断分離仮想線